(57)【特許請求の範囲】
【請求項１】
タッチスクリーン上に表示された数字色温度調節ボタンをトリガするクリック信号を受信するステップと、
前記クリック信号に基づいて、活性化状態にある一つの色温度値を含むｎ（ｎは正の整数である）個の色温度値からなるスクロールリストを表示するステップと、
前記スクロールリストに作用するスクロール信号を受信するステップと、
前記スクロール信号に基づいて前記ｎ個の色温度値の中の各色温度値を順次に活性化させることにより、最後に活性化状態ある色温度値を選択して設定するステップとを含み、
前記スクロール信号に基づいて前記ｎ個の色温度値の中の各色温度値を順次に活性化させることにより、最後に活性化状態ある色温度値を選択して設定する前記ステップは、
前記スクロール信号のスクロール方向及びスクロール速度を取得するステップと、
前記ｎ個の色温度値を前記スクロール方向及び前記スクロール速度に従ってスクロールさせると同時に、スクロールさせる過程中に前記スクロール速度を減少させて、色温度値が、前記スクロールリスト内の所定の領域内にスクロールされると活性化状態になるようにし、前記スクロールリスト内の所定の領域内にスクロールされなかったか、または、前記所定の領域からスクロールされて出ると、非活性化状態になるようにするステップと、
前記スクロール速度が所定の閾値未満であると、前記所定の領域内に表示された一つの色温度値を、最後に活性化状態になった色温度値として特定して、前記色温度値を選択して設定するステップと
を含むことを特徴とする撮影パラメータ設定方法。
【請求項２】
前記タッチスクリーンに表示された撮影ビューファインダーボックス上を覆うメニューバー内に、前記数字色温度調節ボタン及び少なくとも一つの場面色温度調節ボタンを表示し、前記場面色温度調節ボタンがクリックされた後、予め設定した対応関係の中から前記場面色温度調節ボタンの環境光に対応する色温度値を読み取って、前記色温度値を選択して設定するステップ
をさらに含むことを特徴とする請求項１に記載の撮影パラメータ設定方法。
【請求項３】
前記クリック信号に基づいてスクロールリストを表示するステップは、
前記数字色温度調節ボタン及び全ての場面色温度調節ボタンを隠して、隠した後に得られる表示領域内に前記スクロールリストを表示するステップ、
或いは、
前記数字色温度調節ボタンの位置に基づいて、所定の方向に沿って一つの表示領域を伸ばして得てから、前記表示領域内に前記スクロールリストを表示するステップ
を含むことを特徴とする請求項２に記載の撮影パラメータ設定方法。
【請求項４】
前記メニューバー内にホワイトバランス調節ボタンを表示するステップと、
前記ホワイトバランス調節ボタンをトリガする選択信号を受信するステップと、
前記選択信号が手動調節方法を指示するための信号であると、前記タッチスクリーンに表示された撮影ビューファインダーボックス上を覆うメニューバー内に、前記数字色温度調節ボタン及び少なくとも一つの場面色温度調節ボタンを表示する前記ステップをトリガして実行するステップと、
前記選択信号が自動調節方法を指示するための信号であると、センサを用いて端末が位置する環境の環境光の色温度値を取得して、前記環境光の色温度値に基づいて一つの色温度値を選択して設定するステップと
をさらに含むことを特徴とする請求項２に記載の撮影パラメータ設定方法。
【請求項５】
選択した前記色温度値に基づいて、前記タッチスクリーンに表示する撮影ビューファインダーボックス内の画面を動的に調整するステップ
をさらに含むことを特徴とする請求項１に記載の撮影パラメータ設定方法。
【請求項６】
色温度値が非活性化状態から活性化状態に切り替えると、前記色温度値の数字を強調表示するステップと、
色温度値が活性化状態から非活性化状態に切り替えると、前記色温度値の数字を通常表示するステップと
をさらに含むことを特徴とする請求項５に記載の撮影パラメータ設定方法。
【請求項７】
タッチスクリーン上に表示された数字色温度調節ボタンをトリガするクリック信号を受信するための第１受信モジュールと、
前記第１受信モジュールが受信した前記クリック信号に基づいて、活性化状態にある一つの色温度値を含むｎ（ｎは正の整数である）個の色温度値からなるスクロールリストを表示するためのリスト表示モジュールと、
前記リスト表示モジュールが表示した前記スクロールリストに作用するスクロール信号を受信するための第２受信モジュールと、
前記第２受信モジュールが受信した前記スクロール信号に基づいて前記ｎ個の色温度値の中の各色温度値を順次に活性化させることにより、最後に活性化状態ある色温度値を選択して設定するための第１設定モジュールとを含み、
前記第１設定モジュールは、
前記スクロール信号のスクロール方向及びスクロール速度を取得するためのパラメータ取得サブモジュールと、
前記ｎ個の色温度値を前記パラメータ取得サブモジュールが取得した前記スクロール方向及び前記スクロール速度に従ってスクロールさせる同時に、スクロールさせる過程中に前記スクロール速度を減少させて、色温度値が、前記スクロールリスト内の所定の領域内にスクロールされると活性化状態になるようにし、前記スクロールリスト内の所定の領域内にスクロールされなかったか、または、前記所定の領域からスクロールされて出ると、非活性化状態になるようにするためのスクロール制御サブモジュールと、
前記スクロール速度が所定の閾値未満であると、前記所定の領域内に表示された一つの色温度値を、最後に活性化状態になった色温度値として特定して、前記色温度値を選択して設定するための色温度設定サブモジュールと
を備えることを特徴とする撮影パラメータ設定装置。
【請求項８】
前記タッチスクリーンに表示された撮影ビューファインダーボックス上を覆うメニューバー内に、前記数字色温度調節ボタン及び少なくとも一つの場面色温度調節ボタンを表示し、前記場面色温度調節ボタンがクリックされた後、予め設定した対応関係の中から前記場面色温度調節ボタンの環境光に対応する色温度値を読み取って、前記色温度値を選択して設定するための第１表示モジュール
をさらに備えることを特徴とする請求項７に記載の撮影パラメータ設定装置。
【請求項９】
前記リスト表示モジュールは、
前記数字色温度調節ボタン及び全ての場面色温度調節ボタンを隠して、隠した後に得られる表示領域内に前記スクロールリストを表示するための第１表示サブモジュール、
或いは、
前記数字色温度調節ボタンの位置に基づいて、所定の方向に沿って一つの表示領域を伸ばして得てから、前記表示領域内に前記スクロールリストを表示するための第２表示サブモジュール
を備えることを特徴とする請求項８に記載の撮影パラメータ設定装置。
【請求項１０】
前記メニューバー内にホワイトバランス調節ボタンを表示するための第２表示モジュールと、
前記第２表示モジュールが表示した前記ホワイトバランス調節ボタンをトリガする選択信号を受信するための第３受信モジュールと、
前記第３受信モジュールが受信した前記選択信号が手動調節方法を指示するための信号であると、前記タッチスクリーンに表示された撮影ビューファインダーボックス上を覆うメニューバー内に、前記数字色温度調節ボタン及び少なくとも一つの場面色温度調節ボタンを表示する操作をトリガして実行するための操作トリガモジュールと、
前記選択信号が自動調節方法を指示するための信号であると、センサを用いて端末が位置する環境の環境光の色温度値を取得して、前記環境光の色温度値に基づいて一つの色温度値を選択して設定するための第２設定モジュールと
をさらに備えることを特徴とする請求項８に記載の撮影パラメータ設定装置。
【請求項１１】
選択した前記色温度値に基づいて、前記タッチスクリーンに表示する撮影ビューファインダーボックス内の画面を動的に調整するための画面調整モジュール
をさらに備えることを特徴とする請求項７に記載の撮影パラメータ設定装置。
【請求項１２】
前記第１設定モジュールは、
色温度値が非活性化状態から活性化状態に切り替えると、前記色温度値の数字を強調表示するための第３表示サブモジュールと、
色温度値が活性化状態から非活性化状態に切り替えると、前記色温度値の数字を通常表示するための第４表示サブモジュールと
をさらに備えることを特徴とする請求項１１に記載の撮影パラメータ設定装置。
【請求項１３】
プロセッサと、
前記プロセッサが実行可能な命令を記憶するためのメモリと
を備え、
前記プロセッサは、
タッチスクリーン上に表示された数字色温度調節ボタンをトリガするクリック信号を受信し、
前記クリック信号に基づいて、活性化状態にある一つの色温度値を含むｎ（ｎは正の整数である）個の色温度値からなるスクロールリストを表示し、
前記スクロールリストに作用するスクロール信号を受信し、
前記スクロール信号に基づいて前記ｎ個の色温度値の中の各色温度値を順次に活性化させることにより、最後に活性化状態ある色温度値を選択して設定し、
前記スクロール信号のスクロール方向及びスクロール速度を取得し、
前記ｎ個の色温度値を前記スクロール方向及び前記スクロール速度に従ってスクロールさせる同時に、スクロールさせる過程中に前記スクロール速度を減少させて、色温度値が、前記スクロールリスト内の所定の領域内にスクロールされると活性化状態になるようにし、前記スクロールリスト内の所定の領域内にスクロールされなかったか、または、前記所定の領域からスクロールされて出ると、非活性化状態になるようにし、
前記スクロール速度が所定の閾値未満であると、前記所定の領域内に表示された一つの色温度値を、最後に活性化状態になった色温度値として特定して、前記色温度値を選択して設定する
ように構成されることを特徴とする撮影パラメータ設定装置。
【請求項１４】
プロセッサに実行されることにより、請求項１から請求項6のいずれか１項に記載の撮影パラメータ設定方法を実現することを特徴とするプログラム。
【請求項１５】
請求項１４に記載のプログラムが記録された記録媒体。
【発明の詳細な説明】
【相互参照】
【０００１】
本願は、出願番号がＣＮ２０１５１０２２６５７３０であって、出願日が２０１５年５月０６日である中国特許出願に基づいて優先権を主張し、当該中国特許出願のすべての内容を援用する。
【技術分野】
【０００２】
本発明は、コンピュータ技術分野に関し、特に、撮影パラメータ設定方法、装置、プログラム及び記録媒体に関する。
【背景技術】
【０００３】
カメラを用いて撮影する時に、撮影し得る画像は一般的に環境光の影響を受けることになり、撮影効果が良くなくなる。例えば、環境光が白熱灯から出射する光であると、白熱灯から出射する光の色が黄色に近いため、撮影し得る画像の色が黄色に近くなり、画像にゆがみが出てしまう。このため、撮影する前に、撮影パラメータを設定しなければならない。
【０００４】
画像の色を影響する撮影パラメータは、色温度値である。このため、関連技術によって提供する撮影パラメータ設定方法においては、端末に、例えば、曇りモード、白熱灯モード、等のような少なくとも一つの場面調節モードを予め設定し、ここで、各々の場面調節モードはそれぞれ一種の環境光に対応する色温度値を設定するためのものであり、ユーザが、位置する場面の環境光に基づいて環境光種類を特定し、さらに、環境光種類に基づいて対応する場面調節モードを選択して、予め設定した当該場面調節モードの環境光に対応する色温度値を設定する。
【発明の概要】
【発明が解決しようとする課題】
【０００５】
本発明は、場面調節モードの数が限られて、全ての場面の色温度値を調節することができない問題を解決するための、撮影パラメータ設定方法、装置、プログラム及び記録媒体を提供する。
【０００６】
本発明の実施例に係る第１の態様によると、撮影パラメータ設定方法を提供する。
【０００７】
当該方法は、
タッチスクリーン上に表示された数字色温度調節ボタンをトリガするクリック信号を受信するステップと、
前記クリック信号に基づいて、活性化状態にある一つの色温度値を含むｎ（ｎは正の整数である）個の色温度値からなるスクロールリストを表示するステップと、
前記スクロールリストに作用するスクロール信号を受信するステップと、
前記スクロール信号に基づいて前記ｎ個の色温度値の中の各色温度値を順次に活性化させることにより、最後に活性化状態にある色温度値を選択して設定するステップと
を含む。
【０００８】
本発明の実施例に係る第２の態様によると、撮影パラメータ設定装置を提供する。
【０００９】
当該装置は、
タッチスクリーン上に表示された数字色温度調節ボタンをトリガするクリック信号を受信するための第１受信モジュールと、
前記第１受信モジュールが受信した前記クリック信号に基づいて、活性化状態にある一つの色温度値を含むｎ（ｎは正の整数である）個の色温度値からなるスクロールリストを表示するためのリスト表示モジュールと、
前記リスト表示モジュールが表示した前記スクロールリストに作用するスクロール信号を受信するための第２受信モジュールと、
前記第２受信モジュールが受信した前記スクロール信号に基づいて前記ｎ個の色温度値の中の各色温度値を順次に活性化させることにより、最後に活性化状態にある色温度値を選択して設定するための第１設定モジュールと
を備える。
【００１０】
本発明の実施例に係る第３の態様によると、撮影パラメータ設定装置を提供する。
【００１１】
当該装置は、
プロセッサと、
前記プロセッサが実行可能な命令を記憶するためのメモリと
を備え、
前記プロセッサは、
タッチスクリーン上に表示された数字色温度調節ボタンをトリガするクリック信号を受信し、
前記クリック信号に基づいて、活性化状態にある一つの色温度値を含むｎ（ｎは正の整数である）個の色温度値からなるスクロールリストを表示し、
前記スクロールリストに作用するスクロール信号を受信し、
前記スクロール信号に基づいて前記ｎ個の色温度値の中の各色温度値を順次に活性化させることにより、最後に活性化状態にある色温度値を選択して設定する
ように構成される。
【００１２】
本発明の実施例の第４の態様によると、プログラムを提供し、当該プログラムは、プロセッサに実行されることにより、上記の撮影パラメータ設定方法を実現する。
【００１３】
本発明の実施例の第５の態様によると、記録媒体を提供し、当該記録媒体には、上記プログラムが記録されている。
【発明の効果】
【００１４】
本発明の実施例が提供する構成の有益な効果は以下のとおりである。
【００１５】
タッチスクリーン上に表示された数字色温度調節ボタンをトリガするクリック信号を受信し、クリック信号に基づいて、ｎ個の色温度値が含まれたスクロールリストであって、ｎ個の色温度値の中の一つの色温度値が活性化状態にあるスクロールリストを表示し、スクロールリストに作用するスクロール信号を受信し、スクロール信号に基づいてｎ個の色温度値の中の各色温度値を順次に活性化させることにより、最後に活性化状態にある色温度値を選択して設定する。このようにして、数字の色温度値を直接表示することができて、ユーザは、限られた数量の場面の中から固定された場面に対応される色温度値を選択することでなく、実際の場面によって任意の数字の色温度値を選択できることになった。このようにして、場面調節モードの数が限られて、全ての場面の色温度値を調節することができない問題を解決して、全ての場面の色温度値が調節できて、画像の撮影効果を総合的に上昇させることができた。
【００１６】
以上の統括な記述と以下の細部記述は、ただ例示的なものであり、本発明を制限するものではないと、理解するべきである。
【図面の簡単な説明】
【００１７】
ここでの図面は、明細書に合併されて本明細書の一部を構成して本発明に合致する実施例を示し、明細書とともに本発明の原理の説明するのに用いられる。
【図１】図１は、例示的な本実施例に係る撮影パラメータ設定方法を示すフローチャートである。
【図２Ａ】図２Ａは、例示的な一実施例に係る撮影パラメータ設定方法を示すフローチャートである。
【図２Ｂ】図２Ｂは、例示的な本実施例に係る第１の撮影インターフェイスを示す模式図である。
【図２Ｃ】図２Ｃは、例示的な本実施例に係る第２の撮影インターフェイスを示す模式図である。
【図３】図３は、例示的な一実施例に係る撮影パラメータ設定装置を示すブロック図である。
【図４】図４は、例示的な一実施例に係る撮影パラメータ設定装置を示すブロック図である。
【図５】図５は、例示的な一実施例に係る撮影パラメータ設定の装置を示すブロック図である。
【発明を実施するための形態】
【００１８】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００１９】
図１は、例示的な本実施例に係る撮影パラメータ設定方法を示すフローチャートである。当該撮影パラメータ設定方法は、端末に用いられる。図１に示したように、当該撮影パラメータ設定方法は、以下のステップを含む。
【００２０】
ステップ１０１において、タッチスクリーン上に表示された数字色温度調節ボタンをトリガするクリック信号を受信する。
【００２１】
ステップ１０２において、クリック信号に基づいて、活性化状態にある一つの色温度値を含むｎ（ｎは正の整数である）個の色温度値からなるスクロールリストを表示する。
【００２２】
ステップ１０３において、スクロールリストに作用するスクロール信号を受信する。
【００２３】
ステップ１０４において、スクロール信号に基づいてｎ個の色温度値の中の各色温度値を順次に活性化させることにより、最後に活性化状態にある色温度値を選択して設定する。
【００２４】
上記のように、本発明によって提供する撮影パラメータ設定方法によると、タッチスクリーン上に表示された数字色温度調節ボタンをトリガするクリック信号を受信し、クリック信号に基づいて、ｎ個の色温度値が含まれたスクロールリストであって、ｎ個の色温度値の中の一つの色温度値が活性化状態にあるスクロールリストを表示し、スクロールリストに作用するスクロール信号を受信し、スクロール信号に基づいてｎ個の色温度値の中の各色温度値を順次に活性化させることにより、最後に活性化状態にある色温度値を選択して設定する。このようにして、数字の色温度値を直接表示することができて、ユーザは、限られた数量の場面の中から固定された場面に対応される色温度値を選択することでなく、実際の場面によって任意の数字の色温度値を選択できることになった。このようにして、場面調節モードの数が限られて、全ての場面の色温度値を調節することができない問題を解決して、全ての場面の色温度値が調節できて、画像の撮影効果を総合的に上昇させることができた。
【００２５】
図２Ａは、例示的な一実施例に係る撮影パラメータ設定方法を示すフローチャートである。当該撮影パラメータ設定方法は、端末に用いられる。図２Ａに示したように、当該撮影パラメータ設定方法は、以下のステップを含む。
【００２６】
ステップ２０１において、メニューバー内にホワイトバランス調節ボタンを表示する。
【００２７】
メニューバーは、撮影パラメータの調節ボタンを表示するためのものであり、例えば、メニューバー内には、ホワイトバランス調節ボタン、フォーカシングボタン、シャッター時間ボタン、感度ボタン等が表示されている。ここで、ホワイトバランス調節ボタンは、撮影パラメータの中の色温度値を調節するためのものである。一般的に、撮影パラメータの中の色温度値と環境光の色温度値が同一である場合に、撮影し得る画像の色が実物そっくりになる。
【００２８】
撮影過程中の撮影パラメータの設定を便利にするために、タッチスクリーン上に、撮影ビューファインダーボックスとメニューバーとを同時に表示させてもよい。この時、メニューバーは、撮影ビューファインダーボックス内に位置してもよいし、撮影ビューファインダーボックスの外部に位置してもよい。図２Ｂに示した第１の撮影インターフェイスの模式図を参考すると、灰色のメニューバー２１が、白色の撮影ビューファインダーボックス２２の上を覆っている。
【００２９】
ステップ２０２において、ホワイトバランス調節ボタンをトリガする選択信号を受信し、選択信号が手動調節方法を指示すると、ステップ２０３をトリガして実行し、選択信号が自動調節方法を指示すると、センサを用いて端末が位置する環境の環境光の色温度値を取得して、環境光の色温度値に基づいて、一つの色温度値を選択して設定して、処理を終了する。
【００３０】
本実施例において、ホワイトバランス調節ボタンに対する選択信号は、少なくとも２種を含む。第１の選択信号は手動調節方法を指示するための信号であり、第２の選択信号は自動調節方法を指示するための信号である。端末は、ユーザがトリガした選択信号によって、手動調節方法または自動調節方法を特定してもよい。ここで、手動調節方法とは、ユーザが現在の環境によって撮影パラメータ中の色温度値を手動的に選択する方法であり、自動調節方法とは、端末が現在の環境によって撮影パラメータ中の色温度値を自動的に選択する方法である。
【００３１】
ユーザが手動調節方法を選択した場合には、ステップ２０３をトリガして実行し、ユーザが自動調節方法を選択した場合には、２種の実現方法に従って実現してもよい。第１の実現方法では、端末中のセンサを用いて環境光の色温度値を測定して、環境光の色温度値と同一な色温度値を選択して、撮影パラメータを設定する。第２の実現方法では、端末中のセンサを用いて環境光の輝度値を測定して、予め設定した色温度値との対応関係の中から、当該輝度値に対応する色温度値を検索して、当該色温度値を選択して、撮影パラメータを設定する。
【００３２】
ステップ２０３において、タッチスクリーンに表示された撮影ビューファインダーボックス上を覆うメニューバー内に、数字色温度調節ボタン及び少なくとも一つの場面色温度調節ボタンを表示し、当該場面色温度調節ボタンがクリックされた後に、予め設定した対応関係の中から場面色温度調節ボタンの環境光に対応する色温度値を読み取って、色温度値を選択して設定する。
【００３３】
手動調節方法は、数字調節方法及び場面調節方法を含む。ここで、数字調節方法とは、端末が各々の色温度値の数字を予め設定して表示し、ユーザが表示された数字から一つの数字を選択して撮影パラメータ中の色温度値を設定する方法である。この時、端末がメニューバー内に数字調節方法を選択するための数字色温度調節ボタンを表示する必要がある。場面調節ボタンとは、端末が場面を予め設定し、ユーザが表示された場面の中から一つの場面を選択して、撮影パラメータ中の色温度値を設定する方法である。この時、端末は、各場面の環境光の種類及び環境光の色温度値を予め取得し、撮影パラメータ中の色温度値を環境光の色温度値に設定して、環境光種類と撮影パラメータ中の色温度値との間の対応関係を構築する。例えば、白熱灯の場面は、環境光の種類が白熱光であり、白熱光の色温度値が２７００Ｋであるため、端末は、「白熱光−２７００Ｋ」との対応関係を構築し、曇りの場面は、環境光の種類が曇りであり、曇りの色温度値が６０００Ｋであるため、端末は、「曇り−６０００Ｋ」との対応関係を構築する。
【００３４】
ここで、数字色温度調節ボタン及び場面色温度調節ボタンは、所定の表示方法に従って、メニューバー内に表示させてもよい。例えば、メニューバー内に、１行に表示させるか、或いは、一つの円に表示させてもよく、本実施例においてはこれに対して限定しない。
【００３５】
図２Ｂは、数字色温度調節ボタンを場面色温度調節ボタンとメニューバー内の同じ行に表示させた例を挙げた。この時、端末は、メニューバー内に「白熱光」、「太陽光」及び「曇り」の場面色温度調節ボタンと、「手動」の数字色温度調節ボタンを表示させる。ユーザが、上記の場面色温度調節ボタンの中から「白熱光」をクリックしたら、端末は、対応関係中から２７００Ｋを読み取って、撮影パラメータ中の色温度値の数値を２７００Ｋに設定する。
【００３６】
ステップ２０４において、タッチスクリーン上に表示された数字色温度調節ボタンをトリガするクリック信号を受信する。
【００３７】
図２Ｂにおいて、ユーザが「手動」の数字色温度ボタンをクリックしたら、端末は、クリック信号を受信することになる。
【００３８】
ステップ２０５において、クリック信号に基づいて、活性化状態にある一つの色温度値を含むｎ（ｎは正の整数である）個の色温度値からなるスクロールリストを表示する。
【００３９】
活性化状態にある色温度値は、撮影パラメータ中の色温度値に設定されることができる。本実施例において、あるタイミングに、一つの色温度値のみ活性化状態にある。一実現方法において、スクロールリスト中に所定の領域を設定して、色温度値がスクロールリスト内の所定の領域内にスクロールされた時には、当該色温度値が活性化状態になるようにし、色温度値がスクロールリスト内の所定の領域にまだスクロールされなかった時、或いは、既に所定の領域からスクロールされて出た時には、非活性化状態になるようにする。所定の領域は、選択ウィンドウ等であってもよい。
【００４０】
ここで、クリック信号に基づいてスクロールリストを表示する方法は、第１の表示方法、或いは、第２の表示方法を含む。
【００４１】
１）第１の表示方法において、数字色温度調節ボタン及び全ての場面色温度調節ボタンを隠して、隠した後に得られる表示領域内にスクロールリストを表示する。
【００４２】
２）第２の表示方法において、数字色温度調節ボタンの位置に基づいて、所定の方向に沿って一つの表示領域を伸ばして得てから、表示領域内にスクロールリストを表示する。
【００４３】
第１の表示方法において、ユーザが数字色温度調節ボタンをクリックしたため、即ち、ユーザが色温度値の数字を手動的に選択して撮影パラメータ中の色温度値を設定しようとするため、この時には、数字色温度調節ボタン及び場面色温度調節ボタンがすべて効力を失うため、これらボタンを隠して、端末が隠した後に得られる表示領域内にスクロールリストを表示する。図２Ｃに示した第２の撮影インターフェイスの模式図を参考すると、スクロールリストは、この前に数字色温度調節ボタン及び場面色温度調節ボタンが表示された表示領域に表示される。オプションとして、端末が、当該表示領域を調節してもよく、例えば、当該表示領域の幅又は高さ等を変更してもよい。
【００４４】
第２の表示方法において、端末は、数字色温度調節ボタン及び場面色温度調節ボタンを保留して、数字色温度調節ボタンの位置に基づいて所定の方向に沿って一つの表示領域を伸ばして得てから、当該表示領域内にスクロールリストを表示してもよい。ここで、所定の方向は、横方向、縦方向、等の任意の方向であってもよく、本実施例においてはこれに対して限定しない。
【００４５】
スクロールリスト内の色温度値を大きさの順に配列してもよいことを説明する必要がある。例えば、図２Ｃの中の色温度値である４３００、４４００及び４５００は、大きくなる順に配列され、且つ、隣接する色温度値同士の差分は１００Ｋである。当然ながら、色温度値同士の差分を他の数値に設定してもよく、本実施例においてはこれに対して限定しない。或いは、スクロールリスト内の色温度値を、場面に従って配列してもよい。例えば、一つの場面に対応する色温度値及び当該色温度値との差分が所定の区間内にある色温度値を一緒に配列してもよい。当然ながら、スクロールリスト内の色温度値を他のルールに従って配列してもよく、本実施例においてはこれに対して限定しない。
【００４６】
ステップ２０６において、スクロールリストに作用するスクロール信号を受信する。
【００４７】
ステップ２０７において、スクロール信号に基づいてｎ個の色温度値の中の各色温度値を順次に活性化させることにより、最後に活性化状態にある色温度値を選択して設定する。
【００４８】
ここで、スクロール信号に基づいてｎ個の色温度値の中の各色温度値を順次に活性化させることにより、最後に活性化状態にある色温度値を選択して設定するステップは、
１）スクロール信号のスクロール方向及びスクロール速度を取得するステップと、
２）ｎ個の色温度値をスクロール方向及びスクロール速度に従ってスクロールさせる同時に、スクロールさせる過程中にスクロール速度を減少させて、色温度値が、スクロールリスト内の所定の領域内にスクロールされると、活性化状態になるようにし、色温度値が、スクロールリスト内の所定の領域内にスクロールされなかったか、又は、所定の領域からスクロールされて出ると、非活性化状態になるようにするステップと、
３）スクロール速度が所定の閾値未満であると、所定の領域内に表示された一つの色温度値を、最後に活性化状態になった色温度値として特定して、色温度値を選択して設定するステップと
を含む。
【００４９】
端末は、スクロール信号の作用によって、ｎ個の色温度値を制御して、ｎ個の色温度値が、スクロール方向及びスクロール速度に従って、スクロールするようにする。もし、選択ウィンドウ内に表示される色温度値が活性化状態になるし、スクロールリストは、第１エッジ領域、第１エッジ領域に隣接する中間表示領域、及び、中間表示領域に隣接する第２エッジ領域を順次に含み、且つ、選択ウィンドウが中間表示領域に位置しているとすると、一つの色温度値がスクロールされる過程は、以下のとおりである。即ち、色温度値がちょうどスクロールリストの表示領域内にスクロールされた際に、当該色温度値は、第１エッジ領域に位置することになり、この時に、非活性化状態になっている。当該色温度値が第１エッジ領域から中間表示領域内にスクロールされた際には、当該色温度値は、選択ウィンドウ内に位置することになり、当該色温度値は、活性化状態になる。当該色温度値が、中間表示領域から第２エッジ領域内にスクロールされた際には、当該色温度値は非活性化状態になる。
【００５０】
スクロールされる過程においてスクロール速度が減少されるため、スクロールを停止されると、一つの色温度値がちょうど中間表示領域内にスクロールされる。この時に、当該色温度値が、最後に活性化状態になった色温度値になる。端末は、当該色温度値を選択して撮影パラメータに設定する。ここで、スクロールが停止されたことは、スクロール速度が０になったことであってもよいし、スクロール速度が所定の閾値未満になったことであってもよく、本実施例においてはこれに対して限定しない。
【００５１】
オプションとして、本実施例によって提供する方法は、
１）色温度値が非活性化状態から活性化状態に切り替えると、色温度値の数字を強調表示するステップと、
２）色温度値が活性化状態から非活性化状態に切り替えると、色温度値の数字を通常表示するステップと
をさらに含む。
【００５２】
活性化状態にある色温度値と非活性化状態にある色温度値を便利に区別するために、端末は、活性化状態にある色温度値と非活性化状態にある色温度値とに対して、互いに異なる表示効果を設定してもよい。例えば、色温度値の数字の通常表示の時のフォントは、１０号の大きさの明朝体であり、色温度値の数字の強調表示のフォントは、１５号の大きさの太字の明朝体であってもよい。当然ながら、端末は、他の方法によって強調表示してもよく、本実施例においてはこれに対して限定しない。
【００５３】
ステップ２０８において、選択した色温度値に基づいて、タッチスクリーンに表示する撮影ビューファインダーボックス内の画面を動的に調整する。
【００５４】
色温度値の数字を選択して撮影パラメータ中の色温度値を設定すれば、直感的ではないし、ユーザは数字に基づいて撮影効果を予測できなく、選択した色温度値が不正確になるおそれがある。本実施例において、端末が、選択した色温度値に基づいて、タッチスクリーンに表示する撮影ビューファインダーボックス内の画面を動的に調整することにより、ユーザは、撮影しようとする画面の撮影効果をプレビューすることができる。ユーザが、プレビューする過程で、色温度値を再度設定する必要があるか否かを判断できることにより、数字の色温度値が直感的ではないため、正確な色温度値を選択できない問題を解決して、色温度値を選択する正確度を高める効果を得た。
【００５５】
上記のように、本発明によって提供する撮影パラメータ設定方法によると、タッチスクリーン上に表示された数字色温度調節ボタンをトリガするクリック信号を受信し、クリック信号に基づいて、ｎ個の色温度値が含まれたスクロールリストであって、ｎ個の色温度値の中の一つの色温度値が活性化状態にあるスクロールリストを表示し、スクロールリストに作用するスクロール信号を受信し、スクロール信号に基づいてｎ個の色温度値の中の各色温度値を順次に活性化させることにより、最後に活性化状態にある色温度値を選択して設定する。このようにして、数字の色温度値を直接表示することができて、ユーザは、限られた数量の場面の中から固定された場面に対応される色温度値を選択することでなく、実際の場面によって任意の数字の色温度値を選択できることになった。このようにして、場面調節モードの数が限られて、全ての場面の色温度値を調節することができない問題を解決して、全ての場面の色温度値が調節できて、画像の撮影効果を総合的に上昇させることができた。
【００５６】
また、選択した色温度値に基づいてタッチスクリーンに表示する撮影ビューファインダーボックス内の画面を動的に調整して、撮影しようとする画面の撮影効果をプレビューすることができることにより、数字の色温度値が直感的ではないため、正確な色温度値を選択できない問題を解決して、色温度値を選択する正確度を高める効果を得た。
【００５７】
図３は、例示的な一実施例に係る撮影パラメータ設定装置を示すブロック図である。当該撮影パラメータ設定装置は、端末に用いれる。図３に示したように、当該撮影パラメータ設定装置は、第１受信モジュール３０１、リスト表示モジュール３０２、第２受信モジュール３０３、及び、第１設定モジュール３０４を備える。
【００５８】
当該第１受信モジュール３０１は、タッチスクリーン上に表示された数字色温度調節ボタンをトリガするクリック信号を受信する。
【００５９】
当該リスト表示モジュール３０２は、第１受信モジュール３０１が受信したクリック信号に基づいて、活性化状態にある一つの色温度値を含むｎ（ｎは正の整数である）個の色温度値からなるスクロールリストを表示する。
【００６０】
当該第２受信モジュール３０３は、リスト表示モジュール３０２が表示したスクロールリストに作用するスクロール信号を受信する。
【００６１】
当該第１設定モジュール３０４は、第２受信モジュール３０３が受信したスクロール信号に基づいて、ｎ個の色温度値の中の各色温度値を順次に活性化させることにより、最後に活性化状態にある色温度値を選択して設定する。
【００６２】
上記のように、本発明によって提供する撮影パラメータ設定装置によると、タッチスクリーン上に表示された数字色温度調節ボタンをトリガするクリック信号を受信し、クリック信号に基づいて、ｎ個の色温度値が含まれたスクロールリストであって、ｎ個の色温度値の中の一つの色温度値が活性化状態にあるスクロールリストを表示し、スクロールリストに作用するスクロール信号を受信し、スクロール信号に基づいてｎ個の色温度値の中の各色温度値を順次に活性化させることにより、最後に活性化状態にある色温度値を選択して設定する。このようにして、数字の色温度値を直接表示することができて、ユーザは、限られた数量の場面の中から固定された場面に対応される色温度値を選択することでなく、実際の場面によって任意の数字の色温度値を選択できることになった。このようにして、場面調節モードの数が限られて、全ての場面の色温度値を調節することができない問題を解決して、全ての場面の色温度値が調節できて、画像の撮影効果を総合的に上昇させることができた。
【００６３】
図４は、例示的な一実施例に係る撮影パラメータ設定装置を示すブロック図である。当該撮影パラメータ設定装置は、端末に用いれる。図４に示したように、当該撮影パラメータ設定装置は、第１受信モジュール４０１、リスト表示モジュール４０２、第２受信モジュール４０３、及び、第１設定モジュール４０４を備える。
【００６４】
当該第１受信モジュール４０１は、タッチスクリーン上に表示された数字色温度調節ボタンをトリガするクリック信号を受信する。
【００６５】
当該リスト表示モジュール４０２は、第１受信モジュール４０１が受信したクリック信号に基づいて、活性化状態にある一つの色温度値を含むｎ（ｎは正の整数である）個の色温度値からなるスクロールリストを表示する。
【００６６】
当該第２受信モジュール４０３は、リスト表示モジュール４０２が表示したスクロールリストに作用するスクロール信号を受信する。
【００６７】
当該第１設定モジュール４０４は、第２受信モジュール４０３が受信したスクロール信号に基づいて、ｎ個の色温度値の中の各色温度値を順次に活性化させることにより、最後に活性化状態にある色温度値を選択して設定する。
【００６８】
オプションとして、本実施例によって提供する装置は、第１表示モジュール４０５をさらに備える。
【００６９】
当該第１表示モジュール４０５は、前記タッチスクリーンに表示された撮影ビューファインダーボックス上を覆うメニューバー内に、前記数字色温度調節ボタン及び少なくとも一つの場面色温度調節ボタンを表示し、前記場面色温度調節ボタンがクリックされた後、予め設定した対応関係の中から前記場面色温度調節ボタンの環境光に対応する色温度値を読み取って、前記色温度値を選択して設定する。
【００７０】
オプションとして、前記リスト表示モジュール４０２は、第１表示サブモジュール４０２１、及び、第２表示サブモジュール４０２２を備える。
【００７１】
当該第１表示サブモジュール４０２１は、前記数字色温度調節ボタン及び全ての場面色温度調節ボタンを隠して、隠した後に得られる表示領域内に前記スクロールリストを表示する。
【００７２】
当該第２表示サブモジュール４０２２は、前記数字色温度調節ボタンの位置に基づいて、所定の方向に沿って一つの表示領域を伸ばして得てから、前記表示領域内に前記スクロールリストを表示する。
【００７３】
オプションとして、本実施例によって提供する装置は、第２表示モジュール４０６、第３受信モジュール４０７、操作トリガモジュール４０８、第２設定モジュール４０９をさらに備える。
【００７４】
当該第２表示モジュール４０６は、前記メニューバー内にホワイトバランス調節ボタンを表示する。
【００７５】
当該第３受信モジュール４０７は、前記第２表示モジュール４０６が表示した前記ホワイトバランス調節ボタンをトリガする選択信号を受信する。
【００７６】
当該操作トリガモジュール４０８は、前記第３受信モジュール４０７が受信した前記選択信号が手動調節方法を指示する信号であると、前記タッチスクリーンに表示された撮影ビューファインダーボックス上を覆うメニューバー内に、前記数字色温度調節ボタン及び少なくとも一つの場面色温度調節ボタンを表示する操作をトリガして実行する。
【００７７】
当該第２設定モジュール４０９は、前記選択信号が自動調節方法を指示するための信号であると、センサを用いて端末が位置する環境の環境光の色温度値を取得して、前記環境光の色温度値に基づいて一つの色温度値を選択して設定する。
【００７８】
オプションとして、本実施例によって提供する装置は、画面調整モジュール４１０をさらに備える。
【００７９】
当該画面調整モジュール４１０は、選択した前記色温度値に基づいて、前記タッチスクリーンに表示する撮影ビューファインダーボックス内の画面を動的に調整する。
【００８０】
オプションとして、前記第１設定モジュール４０４は、パラメータ取得サブモジュール４０４１、スクロール制御サブモジュール４０４２、及び、色温度設定サブモジュール４０４３を含む。
【００８１】
当該パラメータ取得サブモジュール４０４１は、前記スクロール信号のスクロール方向及びスクロール速度を取得する。
【００８２】
当該スクロール制御サブモジュール４０４２は、前記ｎ個の色温度値を、前記パラメータ取得サブモジュール４０４１が取得した前記スクロール方向及び前記スクロール速度に従ってスクロールさせる同時に、スクロールさせる過程中に前記スクロール速度を減少させて、色温度値が、前記スクロールリスト内の所定の領域内にスクロールされると活性化状態になるようにし、前記スクロールリスト内の所定の領域内にスクロールされなかったか、または、前記所定の領域からスクロールされて出ると、非活性化状態になるようにする。
【００８３】
当該色温度設定サブモジュール４０４３は、前記スクロール速度が所定の閾値未満であると、前記所定の領域内に表示された一つの色温度値を、最後に活性化状態になった色温度値として特定して、前記色温度値を選択して設定する。
【００８４】
オプションとして、前記第１設定モジュール４０４は、第３表示サブモジュール４０４４、及び、第４表示サブモジュール４０４５をさらに備える。
【００８５】
当該第３表示サブモジュール４０４４は、色温度値が非活性化状態から活性化状態に切り替えると、前記色温度値の数字を強調表示する。
【００８６】
当該第４表示サブモジュール４０４５は、色温度値が活性化状態から非活性化状態に切り替えると、前記色温度値の数字を通常表示する。
【００８７】
上記のように、本発明によって提供する撮影パラメータ設定装置によると、タッチスクリーン上に表示された数字色温度調節ボタンをトリガするクリック信号を受信し、クリック信号に基づいて、ｎ個の色温度値が含まれたスクロールリストであって、ｎ個の色温度値の中の一つの色温度値が活性化状態にあるスクロールリストを表示し、スクロールリストに作用するスクロール信号を受信し、スクロール信号に基づいてｎ個の色温度値の中の各色温度値を順次に活性化させることにより、最後に活性化状態にある色温度値を選択して設定する。このようにして、数字の色温度値を直接表示することができて、ユーザは、限られた数量の場面の中から固定された場面に対応される色温度値を選択することでなく、実際の場面によって任意の数字の色温度値を選択できることになった。このようにして、場面調節モードの数が限られて、全ての場面の色温度値を調節することができない問題を解決して、全ての場面の色温度値が調節できて、画像の撮影効果を総合的に上昇させることができた。
【００８８】
また、選択した色温度値に基づいてタッチスクリーンに表示する撮影ビューファインダーボックス内の画面を動的に調整して、撮影しようとする画面の撮影効果をプレビューすることができることにより、数字の色温度値が直感的ではないため、正確な色温度値を選択できない問題を解決して、色温度値を選択する正確度を高める効果を得た。
【００８９】
上記の実施例の装置について、その各モジュールが実行する操作の具体的な形態は既に当該方法に関する実施例において詳細に説明したため、ここでは詳細に説明しない。
【００９０】
本発明の例示的な一実施例は、本発明の撮影パラメータ設定方法を実現できる撮影パラメータ設定装置を提供する。
【００９１】
当該撮影パラメータ設定装置は、
プロセッサと、
プロセッサが実行可能な命令を記憶するためのメモリと
を備え、
プロセッサは、
タッチスクリーン上に表示された数字色温度調節ボタンをトリガするクリック信号を受信し、
クリック信号に基づいて、活性化状態にある一つの色温度値を含むｎ（ｎは正の整数である）個の色温度値からなるスクロールリストを表示し、
スクロールリストに作用するスクロール信号を受信し、
スクロール信号に基づいてｎ個の色温度値の中の各色温度値を順次に活性化させることにより、最後に活性化状態にある色温度値を選択して設定する
ように構成される。
【００９２】
図５は、例示的な一実施例に係る撮影パラメータ設定装置５００を示すブロック図である。例えば、装置５００は、携帯電話、コンピューター、デジタル放送端末、メッセージ送受信デバイス、ゲームコンソール、タブレットデバイス、医療機器、フィットネス機器、パーソナルデジタルアシスタント（ＰＤＡ）等であってもよい。
【００９３】
図５を参照して、装置５００は、プロセスアセンブリ５０２、メモリ５０４、電源アセンブリ５０６、マルチメディアアセンブリ５０８、オーディオアセンブリ５１０、入出力（Ｉ／Ｏ）インターフェイス５１２、センサアセンブリ５１４、及び通信アセンブリ５１６のような一つ以上のアセンブリを含んでよい。
【００９４】
プロセスアセンブリ５０２は、一般的には装置５００の全体の動作を制御するものであり、例えば、表示、電話呼び出し、データ通信、カメラ動作、及び記録動作と関連する動作を制御する。プロセスアセンブリ５０２は、一つ以上のプロセッサ５２０を含み、これらによって命令を実行することにより、上記の方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２の間のインタラクションを容易にするようにしてもよい。
【００９５】
メモリ５０４は、各種類のデータを記憶することにより装置５００の動作を支援するように構成される。これらのデータの例は、装置５００において動作するいずれのアプリケーションプログラム又は方法の命令、連絡対象データ、電話帳データ、メッセージ、画像、ビデオ等を含む。メモリ５０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００９６】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連付けられている他のアセンブリを含んでもよい。
【００９７】
マルチメディアアセンブリ５０８は、前記装置５００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ５０８は、一つのフロントカメラ、及び／又はリアカメラを含む。装置５００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９８】
オーディオアセンブリ５１０は、オーディオ信号を入出力するように構成されてもよい。例えば、オーディオアセンブリ５１０は、一つのマイク（ＭＩＣ）を含み、装置５００が、例えば呼出しモード、記録モード、及び音声認識モード等の動作モードにある場合、マイクは外部のオーディオ信号を受信することができる。受信されたオーディオ信号は、さらにメモリ５０４に記憶されたり、通信アセンブリ５１６を介して送信されたりされる。上記の実施例において、オーディオアセンブリ５１０は、オーディオ信号を出力するための一つのスピーカーをさらに含む。
【００９９】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１００】
センサアセンブリ５１４は、装置５００に各種の状態に対する評価を提供するための一つ以上のセンサを含む。例えば、センサアセンブリ５１４は、装置５００のＯＮ／ＯＦＦ状態、装置５００のディスプレイとキーパッドのようなアセンブリの相対的な位置決めを検出できる。また、例えば、センサアセンブリ５１４は、装置５００、或は装置５００の一つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ画像センサのような光センサを含んでもよい。上記の実施例において、当該センサアセンブリ５１４は、加速度センサ、ジャイロスコープセンサ、磁気センサ、圧力センサ、及び温度センサをさらに含んでもよい。
【０１０１】
通信アセンブリ５１６は、装置５００と他の機器の間に有線、又は利便性のよい形態の通信を提供する。装置５００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、前記通信アセンブリ５１６は、近距離無線通信（ＮＦＣ）モジュールをさらに含むことにより、近距離通信を可能にする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１０２】
例示的な実施例において、装置５００は、一つ以上のＡＳＩＣ（ＡｐｐｌｉｃａｔｉｏｎＳｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１０３】
例示的な実施例において、さらに、命令を含むコンピュータ読取り可能な非一時的な記録媒体、例えば命令を含むメモリ５０４を提供しており、装置５００のプロセッサ５２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等である。
【０１０４】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１０５】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
0006314287.tif 000002
【図２Ａ】
0006314287.tif 000003
【図２Ｂ】
0006314287.tif 000004
【図２Ｃ】
0006314287.tif 000005
【図３】
0006314287.tif 000006
【図４】
0006314287.tif 000007
【図５】
0006314287.tif 000008